(57)【要約】【課題】板状のリールシートを固定する部分が径方向に膨出することなく、握り心地、及び外観の向上が図れる釣竿を提供する。【解決手段】本発明の釣竿は、リール脚載置部の前後に対向して配置され、リール脚を受け入れる開口を有する一対のフード部を備え、これら一対のフード部の内、少なくとも一方が移動式である移動フードとしたリールシートを元竿３に装着している。リールシートは、板状に形成された本体と、本体の軸方向両端に一体的に形成された脚部１５とを有しており、元竿３の脚部１５が載置される部分には、その脚部の軸方向長さに対応する円周溝２２が形成されている。この円周溝２２は、脚部１５に固定用の糸２５を糸巻き糸止めした際、その固定した糸の表面が、円周溝２２の軸方向前後の表面２０ａと略一致する深さに形成されている。【選択図】図４
2008187920.tif 000002
【特許請求の範囲】
【請求項１】
リール脚載置部の前後に対向して配置され、リール脚を受け入れる開口を有する一対のフード部を備え、これら一対のフード部の内、少なくとも一方が移動式である移動フードとしたリールシートを元竿に装着した釣竿において、
前記リールシートは、板状に形成された本体と、前記本体の軸方向両端に一体的に形成された脚部と、
を有しており、
前記元竿の前記脚部が載置される部分に、その脚部の軸方向長さに対応する円周溝を形成し、
前記円周溝は、前記脚部に固定用の糸を糸巻き糸止めした際、その固定した糸の表面が、円周溝の軸方向前後の表面と略一致する深さに形成されていることを特徴とする釣竿。
【請求項２】
前記円周溝は、管状体の外表面に形成されており、前記管状体を元竿に挿入し固定したことを特徴とする請求項１に記載の釣竿。
【発明の詳細な説明】
【技術分野】
【０００１】
本発明は、板状に形成されたリールシートを装着した釣竿に関する。
【背景技術】
【０００２】
一般的に、魚釣用リールが装着される釣竿には、リール脚を固定するための固定フードと移動フードとを具備したリールシートが設けられており、このようなリールシートとして、リールシートに螺合する回転操作部を回転させることで移動フードを固定フードに対してスライドさせる方式（回転スライド方式）が知られている。
【０００３】
この回転スライド方式のリールシートは、回転操作部を回転させながら、移動フードの内面をリール脚に対して徐々に締め付けて行く構成であるため、その締め付け力が強く、締め付け後の魚釣用リールにがたつきが生じ難いという利点はあるものの、リールの取り付け操作性が面倒である、等の問題がある。
【０００４】
そこで、リールの取り付け操作性が良好な構成として、例えば、特許文献１に開示されているように、リールシートを板状に構成し、一端側に固定フードを、他端側に移動フードを配設し、緊締レバーに移動フードを一体的に設けた構成が知られている（スライド方式）。このスライド方式のリールシートは、板状に形成されたシート本体に、起伏可能な緊締レバー及び移動フードを軸方向にスライド自在に保持しており、緊締レバーを起こすことで緊締レバーと共に移動フードを固定フード方向に移動させるよう構成されている。そして、移動フードの内面をリール脚に当て付けた状態で緊締レバーの係止部をシート本体に形成された凹凸部に係合させるように倒すことで、リールを締め付け固定するようになっている。
【０００５】
このスライド方式のリールシートは、特許文献１に開示されているように、軸方向両端部に脚部（取付片）が形成されており、その脚部を釣竿（元竿）の外周面に載置し、その脚部を糸止めすることで元竿に固定される。
【０００６】
また、特許文献２には、スライド方式のリールシートを元竿に固定する技術として、元竿を樹脂チューブで被覆し、この樹脂チューブ上にリールシートを糸巻き糸止め固定する構成が開示されている。前記樹脂チューブには、小径部が形成されており、この小径部にリールシートの固定片を載置し、固定用の糸を巻回することでリールシートを固定している。
【特許文献１】実開昭４８−５４９８７号
【特許文献２】実開平５−３１５６６号
【発明の開示】
【発明が解決しようとする課題】
【０００７】
上記したような特許文献１に開示されている板状のリールシートの固定方法では、脚部を元竿の外周面に載置し、そのまま固定用の糸を巻回して糸止めする構成であるため、糸巻き部分が膨出して握り心地が悪いと共に、外観も低下してしまう。
【０００８】
また、特許文献２に開示されている固定方法は、リールシートの本体が載置される部分の外周と、固定用の糸の表面部は略面一状になるものの、リールシートの本体が固定されていない部分の外周と固定用の糸の表面部との間には、段差が生じていることから、同様に、握り心地が悪く、外観も低下してしまう。さらに、樹脂チューブに固定片を載置して糸を巻回する構成であることから、固定片の樹脂チューブに対する食い込みが弱いと、糸巻き部分が径方向に膨出する傾向となって握り心地や外観が低下してしまう。
【０００９】
本発明は、上記した問題に基づいてなされたものであり、板状のリールシートを固定する部分が径方向に膨出することなく、握り心地、及び外観の向上が図れる釣竿を提供することを目的とする。
【課題を解決するための手段】
【００１０】
上記した目的を達成するために、本発明は、リール脚載置部の前後に対向して配置され、リール脚を受け入れる開口を有する一対のフード部を備え、これら一対のフード部の内、少なくとも一方が移動式である移動フードとしたリールシートを元竿に装着した釣竿において、前記リールシートは、板状に形成された本体と、前記本体の軸方向両端に一体的に形成された脚部と、を有しており、前記元竿の前記脚部が載置される部分に、その脚部の軸方向長さに対応する円周溝を形成し、前記円周溝は、前記脚部に固定用の糸を糸巻き糸止めした際、その固定した糸の表面が、円周溝の軸方向前後の表面と略一致する深さに形成されていることを特徴とする。
【００１１】
上記した構成によれば、板状に形成されているリールシートの本体の両端に形成されている脚部を元竿の円周溝に載置し、この状態で糸巻き糸止めする。この場合、円周溝は、リールシートの脚部に固定用の糸を巻回して糸止めした際、その糸の表面が、円周溝の軸方向前後の表面と略一致する深さに形成されていることから、その糸が径方向に膨出することはなく、握り心地の向上が図れると共に、外観も向上する。
【発明の効果】
【００１２】
本発明によれば、板状のリールシートを固定する部分が径方向に膨出することなく、握り心地、及び外観の向上が図れる釣竿が得られる。
【発明を実施するための最良の形態】
【００１３】
以下、本発明に係る釣竿の一実施形態を、添付図面を参照して具体的に説明する。
【００１４】
図１は、本発明に係る釣竿の一実施形態を示す図である。本実施形態に係る釣竿１は、リールＲを着脱可能にする板状のリールシート１０を装着した元竿３と、元竿３に対して順次、継合される中竿４及び穂先竿５とを備えている。この場合、各竿部材の継合は、振り出し式に構成されていても良いし、並継式に構成されていても良い。また、各竿部材の継合本数は任意であり、竿部材の構造についても、管状体に構成されていても良いし、中実状に構成されていても良い。なお、本実施形態の元竿３は、図２に示すように、管状体として構成されており、通常の強化繊維に合成樹脂を含浸したプリプレグシートを巻装することで構成されている。
【００１５】
前記竿部材には、複数の釣糸ガイド（外ガイド）７が設けられており、板状のリールシート１０に装着されたリールＲから繰出される釣糸を案内するようになっている。また、元竿３の基端部には、必要に応じて腹当て（グリップ）３０が設けられている。
【００１６】
前記リールシート１０は、図２に示すように、リールＲの脚部が載置されるリール脚載置部１１と、その前後に対向して配置され、リール脚を受け入れる開口を有する一対のフード部１２ａ，１２ｂとを有する板状の本体１４を備えている。前記一対のフード部の内、少なくとも一方（後端側となるフード部１２ｂ）は移動式に構成されており、公知のように、移動フード１２ｂと一体化された緊締レバー１２ｃの係止部を、板状の本体１４の表面に形成された凹凸部に係合させることで、リールＲを締め付け固定できるよう構成されている。
【００１７】
前記リールシート１０の本体１４は、例えば、ステンレス、アルミニウム合金、チタン、真鍮等の金属によって一体的に形成され、本体１４の軸方向両端には、元竿３に対して糸巻き糸止めによって止着される脚部（取付片）１５が一体形成されている（図４参照）。この脚部１５は、図５（ｂ）及び（ｃ）に示すように、断面が円弧形状（略円弧形状のものを含む）に形成されており、この脚部１５を元竿３に対して位置決めし、固定用の糸２５を巻回して、その後、巻回部分に樹脂、例えば、エポキシ樹脂を塗布することで糸巻き糸止め固定される。
【００１８】
なお、本実施形態の構成では、上記したリールシート１０は、元竿３に直接装着されるのではなく、元竿３に対して挿入し、接着剤によって固定される管状体２０の表面に装着されるようになっている。この管状体２０は、図３に示すような円筒形状となるように、例えば、ナイロン、ＡＢＳ等の樹脂によって一体成形されている。或いは、加工性、握持性、強度等を考慮して、発泡材（ウレタン、エポキシ、ＥＶＡ、ポリオレフィン）や強化繊維樹脂、木材、コルク等によって形成することも可能である。
【００１９】
前記管状体２０の軸方向両側には、図５（ｃ）に示すように、断面円弧形状の脚部１５が載置される部分に、その脚部の幅Ｗよりも幅広となる平面部２１が形成されている。また、本実施形態では、平面部２１は、リールシート１０の本体１４が載置される載置面２０ａより、高さが低くなるように切削加工された円周溝２２の一部に形成されている。
【００２０】
この円周溝２２は、管状体２０の両端側、具体的には、両端から軸方向内側の所定の位置に、所定の長さ分（脚部１５が配置できる程度の軸方向長さ）形成されており、その深さは、図４に示すように、脚部１５に固定用の糸２５を巻回して糸止めした後の高さ（糸止め状態のときの表面高さであり、樹脂を含浸している場合、その樹脂表面となる）が、その素材面の高さと略一致する程度、好ましくは、糸巻きして脚部１５を固定した際に、管状体２０の表面（載置面２０ａ）から、巻回して糸止めされた糸２５の表面が膨出しない程度に設定されている。すなわち、脚部１５に対して固定用の糸２５を巻回した後、円周溝２２の軸方向前後において、巻回した糸２５の表面と管状体２０の表面は、略面一状になるように構成されている。なお、図４に示すように、脚部１５は、先端側がテーパ状で薄くなっているため、巻回して固定した糸２５の表面が段差にならないように、円周溝２２の壁部２２ａの高さを調整しても良い。
【００２１】
上記したような板状のリールシート１０を装着した釣竿によれば、以下の作用効果が得られる。
【００２２】
板状に形成されているリールシート１０の本体１４の両端に形成され、断面円弧形状を有する脚部１５は、それよりも幅広の平面部２１に載置され、この状態で糸巻き糸止め固定されることから、脚部１５の両端縁１５ａが平面部２１に安定して載置された状態となり、周方向に負荷が加わっても、ぐらつくことが無くなる。このため、リールシートを元竿に取り付ける作業の際もリールシート１０を安定させた状態で糸巻き作業を行えるようになって、糸巻き糸止めした後のリールシート１０の装着状態の安定化が図れる。
【００２３】
また、上記した構成では、平面部２１は、円周溝２２に形成されており、この円周溝２２内に脚部１５が配設されるため、両脚部の軸方向端部は、円周溝２２の壁部２２ａによって軸方向に規制された状態となる。このため、リールシート１０は、糸止め装着作業する際に軸方向にぐらつくことが無くなり、糸巻き糸止めした後のリールシート１０の装着状態がより安定するようになる。
【００２４】
また、円周溝２２は、脚部１５に固定用の糸２５を巻回して糸止めした際、その糸２５の表面が管状体２０の表面と略一致する程度、好ましくは、糸巻きした際に、管状体２０の表面（載置面２０ａ）から巻回した糸２５が膨出しない程度の深さに設定されていることから、糸巻き作業を行う際、糸崩れや緩みが防止でき、安定した巻回状態が得られるようになる。また、巻回後の糸２５は、管状体２０の表面（載置面２０ａ）から膨出しないため、握り心地が良くなると共に、外観の向上が図れるようになる。
【００２５】
また、上記した板状のリールシート１０は、元竿３に直接装着するのではなく、元竿３に対して挿入、固定される管状体２０に対して装着するように構成されている。このような構成によれば、元竿３とは別体として管状体２０を一体成形することができるため、元竿３の外表面を、リールシート１０を装着するために直接、切削加工する必要がなくなって加工処理の工程が容易になる。また、元竿３を切削加工する必要が無いため、元竿３が強度低下するようなことも無い。特に、元竿３の径が細かったり、肉厚が薄いような構成であっても、挿入、固定される管状体２０によって、必要に応じて径を太くすることが可能となり、上記した幅広の平面部２１や円周溝２２を、元竿の強度を低下することなく形成することが可能になる。更に、用途によっては、管状体２０の一部に膨出部を形成したり、凹凸を形成する等、リールシートが装着される部分の設計の自由度の向上が図れるようになる。
【００２６】
もちろん、リールシート１０は、上述した管状体２０を用いることなく、直接、元竿３の外周に装着する構成であっても良い。この場合、元竿３の外周面に、肉厚部を形成し、円周溝２２及び平面部２１を形成しても良い。
【００２７】
また、本実施形態では、上述したリールシート１０を装着する部分の周辺領域、具体的には、リールシート１０に固定されたリールＲのリール脚と共に握持、保持可能な領域を、柔軟性のある被覆部材（柔軟性被覆部材）５０によって覆うように構成している。この場合、柔軟性被覆部材５０は、リールシート１０の本体１４、具体的には、操作部となる固定フード１２ａ、及び移動フード１２ｂが露出するように、２枚以上のシート状の素材を縫製することで構成される。なお、もちろん、柔軟性被覆部材５０は、１枚で構成されていても良い。
【００２８】
本実施形態では、前記柔軟性被覆部材５０は、縫製が可能な素材である革（合成革であっても良い）によって構成されており、このような革を用いることで、リールＲと共に元竿３を握りこんだ際、滑りが生じることがなく、握り心地の向上が図れ、更には、元竿部材と異なる質感となることから、外観の向上が図れるようになる。また、柔軟性被覆部材を複数枚準備しておき、これを縫製することで、縫着される糸によって滑り止めの効果を向上することが可能となり、かつ、そのような柔軟性被覆部材を取り外すことも容易となる。なお、このような柔軟性被覆部材５０は、革以外にも、例えば、塩化ビニル（表面に滑りを生じさせないようにエンボス加工を施しても良い）や、布に合成樹脂を含浸した素材等によって構成しても良い。
【００２９】
本実施形態では、上記した革によって構成される柔軟性被覆部材５０は、元竿３とは別体で成形され、上記したリールシート１０を糸巻き糸止め固定した管状体２０に対して予め被着するようにしており、加工処理工程を簡略化している。
【００３０】
また、本実施形態では、柔軟性被覆部材を構成する革を２枚で構成し、これを縫製することで、管状体２０に被着するようにしている。この場合、縫製に際して行われる糸の縫着跡は、図６に示すように、リールシート部分を手のひらで握り込んだ際、各指の腹部と一致するように、軸方向に沿うように縫製することが好ましく、特に、図７に示すように、実際に握り込んだ際に、手のひら部分も位置できるようにするのが好ましい。
【００３１】
具体的には、図６及び図７に示すように、糸による縫着跡（縫着した糸の跡）５１は、竿先から元側に移行するに連れ、軸方向に沿うように２箇所存在しており、夫々が側面側から上面側に向かって接近するような湾曲形状とされており、更に、上面側から側面側に向かって離反するような湾曲形状となるように縫製されている。このような縫製は、２枚の革５０ａ，５０ｂを所定の形状に裁断しておき、予め特定した位置を縫着した後、これを管状体２０に対して被着し、残りの部分を縫着することで行うことが可能である。
【００３２】
上記したような革を縫着することで、図８に示すように、縫着跡５１の周辺部５２は盛り上がることから、指Ｔを当てた際に、周方向に滑り難くなって、握持、保持性の向上が図れるようになる。また、柔軟性被覆部材５０は、上記したように、リールシート１０の本体１４を露出するように被着することから、リールＲの着脱操作に影響を及ぼすこともない。
【００３３】
また、糸を縫着するに際しては、図６及び図９に示すように、縫着方向（縫着跡５１を形成する糸の方向；図９のような矢印方向）が、穂先側に向くように縫製することが好ましい。このような縫着方向にすることで、リール部分の近傍を、リール脚と共に握持、保持した際（図６参照）、各指の腹部が、縫着跡５１による凹凸に引っ掛かり易くなり、これにより、各指や手のひらが竿先側に向かって滑り難くなって、握持、保持性を向上することが可能になる。
【００３４】
また、上記したような柔軟性被覆部材５０は、リールシート部分以外にも、手によって握持、保持される領域、具体的には、図１及び図１０に示すように、例えば、竿尻となる腹当て（グリップ）３０に被着しておいても良い。このような腹当て３０の部分は、手のひらで握持したり、脇に抱え込むなど、実釣時に操作される部分であることから、上記したような柔軟性被覆部材５０を同様な構成で被着することで、握持、保持性の向上が図れると共に、滑りを効果的に防止することが可能になる。
【００３５】
なお、上記した柔軟性被覆部材５０を被着するに際しては、図１０（ｃ）に示すように、端面領域を折り返して端面３０ａを完全に覆い、この部分を縫着したり、或いは、上記した管状体２０であれば、その端面領域を折り返して端面に接着等によって固着することで、柔軟性被覆部材５０がめくれることを確実に防止することが可能になる。
【００３６】
また、上記したような柔軟性被着部材５０については、上記した実施形態のように、リールシート１０の領域や竿尻となる腹当て部分以外の様々な箇所に被着することが可能であり、また、釣竿を構成する管状体や中実部分に直接、被着するようにしても良い。
【００３７】
以上、本発明の実施形態について説明したが、本発明は、上記した実施形態以外にも適宜変形することが可能である。
【００３８】
上記した柔軟性被着部材５０については、本発明における釣竿では、被着しない構成であっても良い。このような構成では、上記したように、板状のリールシート１０の装着状態が安定すると共に、糸止めによる膨出部分がなくなって握り心地の向上、及び外観の向上が図れるようになる。
【図面の簡単な説明】
【００３９】
【図１】本発明に係る釣竿の一実施形態を示す図。
【図２】リールシートが装着される部分の構成を示した一部断面側面図。
【図３】リールシートが装着される管状体の構成を示す一部断面図。
【図４】管状体に対するリールシートの装着部分を示す断面図。
【図５】（ａ）は、図３のＡ−Ａ線に沿った断面図、（ｂ）は、リールシートの脚部を載置した際の断面図、（ｃ）は、その拡大図。
【図６】リールシート部分を握持、保持した状態を示す側面図。
【図７】リールシート部分を握持、保持した状態を示す平面図。
【図８】縫着部分に指が掛かる状態を示す断面図。
【図９】縫着部分を拡大して示す図。
【図１０】（ａ）は、図１に示す腹当て部の平面図、（ｂ）は、側面図、（ｃ）は、後方側から見た図。
【符号の説明】
【００４０】
１  釣竿
３  元竿
１０  リールシート
１４  リールシートの本体
１５  脚部
２０  管状体
２１  平面部
２２  円周溝
２５  糸
５０  柔軟性被覆部材
５１  縫着跡
【図１】
2008187920.tif 000003
【図２】
2008187920.tif 000004
【図３】
2008187920.tif 000005
【図４】
2008187920.tif 000006
【図５】
2008187920.tif 000007
【図６】
2008187920.tif 000008
【図７】
2008187920.tif 000009
【図８】
2008187920.tif 000010
【図９】
2008187920.tif 000011
【図１０】
2008187920.tif 000012